(57)【要約】【課題】床面の高さを下げることができる床パネルの梁への接続構造を提供する。【解決手段】一対の梁１（端梁１Ａ１）と、一対の端梁１Ａ１に載置される床パネル２（下げ床パネル２Ｂ）と、を備える。下げ床パネル２Ｂは、上面が床面となる板部２１と、板部２１の下面に設けられ、一対の端梁１Ａ１の離間方向を長手方向とする根太２２（下げ床根太５）と、を備える。下げ床根太５は、板部２１の下面に上面が固定される上根太５１と、下根太５２と、を備える。上根太５１と下根太５２とは長手方向を同じくして固定されるとともに、端辺部において下根太５２の長手方向における端縁が上根太５１の長手方向における端縁よりも控えて位置するものである。一対の端梁１Ａ１にそれぞれ上根太５１の長手方向における端縁が載置されて接続されるとともに、下根太５２が平面視において一対の端梁１Ａ１の間に位置する。【選択図】図７
2017014764.tif 000002
【特許請求の範囲】
【請求項１】
水平方向に間隔をあけて配置される一対の梁と、一対の前記梁にそれぞれ互いに対向する端辺部が載置される床パネルと、を備え、
前記床パネルは、上面が床面となる板部と、前記板部の下面に設けられ、一対の前記梁の離間方向を長手方向とする根太と、を備え、
前記根太は、前記板部の前記下面に上面が固定される上根太と、前記上根太の下面に上面が固定される下根太と、を備え、
前記上根太と前記下根太とは長手方向を同じくして固定されるとともに、前記端辺部において前記下根太の長手方向における端縁が前記上根太の長手方向における端縁よりも控えて位置するものであり、
一対の前記梁にそれぞれ前記上根太の長手方向における前記端縁が載置されて接続されるとともに、前記下根太が平面視において一対の前記梁の間に位置することを特徴とする床パネルの梁への接続構造。
【請求項２】
前記一対の梁に直交する方向に別の梁が設けられ、
前記一対の梁に載置された前記床パネルの前記根太は、前記別の梁から離間し、
前記根太と前記別の梁とが接続部材により接続されることを特徴とする請求項１記載の床パネルの梁への接続構造。
【発明の詳細な説明】
【技術分野】
【０００１】
本発明は、床パネルの梁への接続構造に関する。
【背景技術】
【０００２】
従来、上面が床面となる板部と、前記板部の下面に設けられる根太とを備えた床パネルが梁に接続されてなる接続構造が知られている（例えば特許文献１参照）。
【先行技術文献】
【特許文献】
【０００３】
【特許文献１】特開２００３−２６８９０８号公報
【発明の概要】
【発明が解決しようとする課題】
【０００４】
ところで、床パネル上には床仕上げ材を敷いて利用することが広く行われている。しかしながら、床仕上げ材には多種多様なものがあり、厚みも様々である。厚みの厚い床仕上げ材が敷かれると、室内の実質的な床面（すなわち床仕上げ材の上面）が高くなり、窓や天井等の高さが実質的に低くなってしまう。このため、根太の高さを低くすることが容易に考えられるものの、単純に根太の高さを低くすると、床パネルの強度の低下を招いてしまう。
【０００５】
本発明は上記従来の問題点に鑑みて発明したものであって、その目的とするところは、強度の低下を招きにくく、かつ、床面の高さを下げることができる床パネルの梁への接続構造を提供することにある。
【課題を解決するための手段】
【０００６】
本発明は、水平方向に間隔をあけて配置される一対の梁１（端梁１Ａ１）と、一対の端梁１Ａ１にそれぞれ互いに対向する端辺部が載置される床パネル２（下げ床パネル２Ｂ）と、を備える床パネル２の梁１への接続構造である。下げ床パネル２Ｂは、上面が床面となる板部２１と、板部２１の下面に設けられ、一対の端梁１Ａ１の離間方向を長手方向とする根太２２（下げ床根太５）と、を備える。下げ床根太５は、板部２１の下面に上面が固定される上根太５１と、上根太５１の下面に上面が固定される下根太５２と、を備える。上根太５１と下根太５２とは長手方向を同じくして固定されるとともに、端辺部において下根太５２の長手方向における端縁が上根太５１の長手方向における端縁よりも控えて位置するものである。一対の端梁１Ａ１にそれぞれ上根太５１の長手方向における端縁が載置されて接続されるとともに、下根太５２が平面視において一対の端梁１Ａ１の間に位置することを特徴とする。
【０００７】
また、一対の端梁１Ａ１に直交する方向に別の梁（横向き梁１Ｂ）が設けられ、一対の端梁１Ａ１に載置された下げ床パネル２Ｂの下げ床根太５は、横向き梁１Ｂから離間する。下げ床根太５と横向き梁１Ｂとが接続部材６３により接続されることが好ましい。
【発明の効果】
【０００８】
本発明にあっては、強度の低下を招きにくく、かつ、床面の高さを下げることができる。
【０００９】
また、接続部材により接続されることにより、水平剛性が向上する。
【図面の簡単な説明】
【００１０】
【図１】図１Ａは第一実施形態の通常床パネルが接続された接続構造の平面図であり、図１Ｂは図１Ａの接続構造において根太の長手方向からみた側面図であり、図１Ｃは図１Ａの接続構造において根太の長手方向と直交する方向からみた側面図である。
【図２】図２Ａは第一実施形態の通常床パネルが接続された接続構造の一角部の平面図であり、図２Ｂは図２ＡのＡ−Ａ線断面図である。
【図３】図３Ａは第一実施形態の通常床パネルの平面図であり、図３Ｂは第一実施形態の通常床パネルの根太の長手方向からみた側面図であり、図３Ｃは第一実施形態の通常床パネルの根太の長手方向と直交する方向からみた側面図である。
【図４】図４Ａは第一実施形態の通常根太の側面図であり、図４Ｂは第一実施形態の通常根太の正面図であり、図４Ｃは第一実施形態の通常根太の上面図である。
【図５】図５Ａは第一実施形態の下げ床パネルの平面図であり、図５Ｂは第一実施形態の下げ床パネルの根太の長手方向からみた側面図であり、図５Ｃは第一実施形態の下げ床パネルの根太の長手方向と直交する方向からみた側面図である。
【図６】図６Ａは第一実施形態の下げ床根太の下面図であり、図６Ｂは第一実施形態の下げ床根太の正面図であり、図６Ｃは第一実施形態の下げ床根太の側面図である。
【図７】図７Ａは第一実施形態の下げ床パネルが接続された接続構造の一角部の平面図であり、図７Ｂは図７ＡのＢ−Ｂ線断面図である。
【図８】図８Ａは第一実施形態の通常床パネルが接続部材により梁に接続された部分を示す一部切欠した平面図であり、図８Ｂは図８ＡのＣ−Ｃ線断面図であり、図８Ｃは図８ＢのＤ−Ｄ線断面図である。
【図９】図９Ａは図８Ａの接続部材の平面図であり、図９Ｂは図８Ａの接続部材の側面図である。
【図１０】図１０は、床パネル同士を連結部材にて連結する場合の要部の一部切欠した平面図である。
【図１１】図１１Ａは図１０Ａの連結部材の平面図であり、図１１Ｂは図１０Ａの連結部材の側面図である。
【図１２】図１２は、図１０のＥ−Ｅ線断面図である。
【図１３】図１３Ａは第一実施形態の下げ床パネルが接続部材により梁に接続された部分を示す一部切欠した平面図であり、図１３Ｂは図１３ＡのＦ−Ｆ線断面図であり、図１３Ｃは図１３ＢのＧ−Ｇ線断面図である。
【図１４】図１４Ａは図１３Ａの接続部材の平面図であり、図１４Ｂは図１３Ａの接続部材の側面図である。
【図１５】図１５は、下げ床パネル同士を連結部材にて連結する場合の要部の縦断面図である。
【発明を実施するための形態】
【００１１】
本発明の床パネルの梁への接続構造の一実施形態について、添付図面に基いて説明する。本発明の床パネルの梁への接続構造は、図１に示すように、梁１および床パネル２を備えるものである。
【００１２】
梁１は、建物の構造材を構成する、床パネル２が載置される横架材を指すものであり、大引や桁といった種別や呼称は特に限定されない。梁１は、主に金属により形成されるもので、特に鋼材が好適に用いられるが、他の金属（合金でもよい）や、非金属により形成されてもよく、材質は限定されない。
【００１３】
また、梁１には、型材が好適に用いられる。型材としては、特にＨ型材が好適に用いられるが、断面コ字状やＣ字状をした型材（チャンネル材等）や、断面矩形状（正方形状または長方形状）をした中空部材等が用いられてもよく、特に限定されない。本実施形態では、図２Ｂに示すように、梁１はＨ型鋼により形成されている。梁１を形成するＨ型鋼は、上フランジ、下フランジおよびウェブ１３を有する転倒Ｈ字状に配置され、上フランジが梁１の上片１１を構成し、下フランジが梁１の下片１２を構成する。
【００１４】
建物の床構造においては、図１Ａに示すように、複数の梁１（１Ａ、１Ｂ）が水平方向に間隔をあけて配置される。さらに説明すると、複数の梁１は、それぞれの上端面（上片１１の上面１１１）が、水平な同一平面上に位置するように設けられる。なお、ここでいう水平とは、厳密な水平でなくてもよく、実用上水平として支障ない程度の水平度を有していればよい。また、複数の梁１の上面の一部に同一平面上に位置しない部分があってもよい。
【００１５】
本実施形態では、図１Ａにおいて縦方向を長手方向とする三本の梁１（便宜上、縦向き梁１Ａとする）が、互いに平行に設けられている。なお本実施形態では、図１Ａに示す三本の縦向き梁１Ａのうち、両端の二本（端梁１Ａ１とする）が、床パネル２の互いに対向する端辺部がそれぞれ載置される後述する一対の梁１を構成する。この端梁１Ａ１は、図２Ｂに示すように、幅Ｗ１（すなわち上片１１および下片１２の幅）が１００ｍｍ、高さＨ１が２５０ｍｍに形成されており、このような梁を便宜上、大梁とする。そして、三本の縦向き梁１Ａのうちの間の一本が、床パネル２の中間部が載置される中間梁１Ａ２を構成する。中間梁１Ａ２は、図１Ｃに示すように、幅（すなわち上片１１および下片１２の幅）が１００ｍｍ、高さＨ２が２００ｍｍに形成されており、このような梁を便宜上、小梁とする。なお、大梁および小梁は、幅や高さ等の寸法は上記寸法に限定されない。
【００１６】
また、図１Ａにおいて横方向を長手方向とする二本の梁１（便宜上、横向き梁１Ｂとする）が、互いに平行に設けられている。この二本の横向き梁１Ｂは、大梁により構成されている。
【００１７】
図１Ａに示すように、一対の縦向き梁１Ａ（端梁１Ａ１）および一対の横向き梁１Ｂが、床パネル２が設けられる平面視矩形状をした領域を囲うように配置される。図２Ａに示すように、これらの各梁１の長手方向の端縁は、柱７に接続されている。柱７は、床パネル２が設けられる平面視矩形状をした領域の四隅に設けられる。柱７は、水平断面において一辺が大梁の幅Ｗ１と同じ１００ｍｍの正方形状をしており、側面に縦向き梁１Ａの端梁１Ａ１および横向き梁１Ｂが接続される。なお、柱７の形状や寸法は上記に限定されない。
【００１８】
床パネル２は、図１Ａに示すように、一対の梁１（端梁１Ａ１）に架設される。さらに説明すると、床パネル２は、図２Ｂに示すように、互いに対向する端辺部がそれぞれ、間隔をあけて配置される一対の端梁１Ａ１の上面１１１に載置される。なお、床パネル２が一対の（端梁１Ａ１に加えて他の梁（例えば中間梁１Ａ２）に載置されてもよい。
【００１９】
床パネル２は、図３に示すように、板部２１と根太２２とを備えるものである。なお、本実施形態では、床パネル２として、図３に示す通常床パネル２Ａと、通常床パネル２Ａよりも床面を低くする図５に示す下げ床パネル２Ｂの少なくとも二種類を有している。
【００２０】
板部２１は、図３に示すように、所定の厚みを有し、床面となる所定の形状の上面を有するものである。板部２１としては、無垢の木材や、パーティクルボードやＭＤＦ（Medium Density Fiberboard）等の木質材が好適に用いられるが、ＡＬＣ（Autoclaved Lightweight Concrete）等でもよく、板部２１の材質は特に限定されない。板部２１は、上述した床パネル２の種類（通常床パネル２Ａ、下げ床パネル２Ｂ）にかかわらず同じ材質により形成されるのが好ましいが、床パネル２の種類に応じて、または床パネル２毎に材質が異なってもよい。本実施形態では、板部２１は、厚みが２０ｍｍのパーティクルボードで形成されているが、厚みは前記に限定されない。また、板部２１の平面視における寸法形状（図１Ａ、図３Ａ等参照）も、設計上、適宜設定されるものであり、特に限定されないが、形状は本実施形態におけるように矩形状をしていることが好ましい。
【００２１】
根太２２は、板部２１の下面に設けられるものである。本実施形態では、図３に示すように、横方向を長手方向とする複数の根太２２が、互いに平行になるように板部２１に設けられている。根太２２は、金属により形成されるもので、特に鋼材が好適に用いられるが、他の金属（合金でもよい）や、非金属を含んでもよく、材質は限定されない。また、根太２２には、型材が好適に用いられる。型材としては、断面コ字状やＣ字状をした型材（チャンネル材等）や、断面正方形状または長方形状をした中空部材等が用いられてもよく、特に限定されない。
【００２２】
根太２２は、図１Ａに示すように、一対の梁１（端梁１Ａ１）の離間方向を長手方向とするものである。さらに説明すると、床パネル２が載置される一対の端梁１Ａ１に対して、当該一対の端梁１Ａ１の離間方向を長手方向とする向きで、根太２２が板部２１の下面に固定される。これにより、根太２２の両側の端縁部がそれぞれ端梁１Ａ１に載置される。
【００２３】
本実施形態では、上記のように床パネル２として通常床パネル２Ａと下げ床パネル２Ｂの二種類を有しており、床パネル２の種類に応じて根太２２が異なる。
【００２４】
図１ないし図３に示す通常床パネル２Ａに設けられる根太２２（これを通常根太３とする）は、本実施形態では図４に示すように、長手方向と直交する断面の形状が、幅Ｗ３が８０ｍｍ、高さＨ３が８０ｍｍの正方形状をした中空部材により形成されている。なお、通常根太３は、断面長方形状をした中空部材やその他の型材により形成されてもよい。図３に示すように、通常根太３は、その上片３１の上面が板部２１の下面に固定されることにより、板部２１に設けられる。図３に示す通常床パネル２Ａにおいては、三本の通常根太３が設けられているが、設けられる通常根太３は二本でもよく、本数は限定されない。通常根太３の上片３１の板部２１への固定は、例えばタッピングビスやボルト・ナット等の固着具によるものであったり、接着、嵌合、かしめ等によるものでもよく、特に限定されない。なお、通常根太３の上面と板部２１の下面との間に別部材が介在してもよいが、通常根太３は板部２１に対して移動しない（または移動しにくい）ように設けられる。
【００２５】
通常根太３は、その下片３２が梁１の上片１１の上面１１１に載置されて、梁１に固定される。通常根太３の梁１への固定は、ボルト８による締結によって行われる。このため、図４に示すように、梁１の上片１１には、ボルト８が挿通可能な挿通孔が形成され、通常根太３の下片３２には、ボルト８に螺合する螺合部３３が設けられる。螺合部３３は、下片３２に形成された、ボルト８が挿通可能な挿通孔３２１の周囲に設けられる。螺合部３３としては、例えばナットが好適に用いられ、この場合、下片３２に形成された挿通孔３２１と内部の雌ねじ孔が連通するようにナットが下片３２に固定されて螺合部３３が設けられる。通常根太３の下片３２へのナットの固定は、スポット溶接をはじめとする溶接やろう付け、嵌合やかしめ等、既存の様々な方法が適宜適用可能である。かしめにより下片３２に固定される場合には、図４に示すいわゆるピアスナット３４が好適に用いられる。ピアスナット３４が下片３２に固定されるには、ピアスナット３４が固定される下片３２の上面側にピアスナット固定用の専用の装置が配置されて、容易に固定が行われる。
【００２６】
なお、螺合部３３としては、このようなピアスナット３４をはじめとするナットではなく、雌ねじ孔を有する他の部材が下片３２に固定されたものであってもよいし、下片３２に雌ねじ孔が直接形成されて螺合部３３が構成されてもよい。
【００２７】
さらに本実施形態では図３に示すように、通常床パネル２Ａに、通常根太３の他にも、根太２２（これを補助根太４とする）が設けられる。補助根太４は、特に図示しないが、長手方向と直交する断面の形状が、幅が５０ｍｍ、高さが８０ｍｍのコ字状をしたチャンネル材により形成されているが、断面正方形状や長方形状をした中空部材やその他の型材により形成されてもよい。図３に示す通常床パネル２Ａにおいては、通常根太３間に二本ずつ計四本の補助根太４が設けられているが、設けられる補助根太４の本数は限定されない。補助根太４も、通常根太３と同様に、その上面が板部２１の下面に固定されることにより板部２１に設けられ、また、補助根太４の上面と板部２１の下面との間に別部材が介在してもよい。なお、このような補助根太４は特に設けられなくてもよい。
【００２８】
さらに本実施形態では図３に示すように、通常床パネル２Ａの板部２１の下面の根太２２（通常根太３および補助根太４）間の部分に吸音材９が設けられている。吸音材９は、板部２１や根太２２に、ビス等の固着具や、接着剤や両面テープ等による接着等、既存の様々な方法によって適宜固定される。なお、このような吸音材９は特に設けられなくてもよい。
【００２９】
次に、図５に示す下げ床パネル２Ｂに設けられる根太２２（これを下げ床根太５とする）について説明する。図５に示す下げ床パネル２Ｂにおいては、五本の下げ床根太５が設けられているが、設けられる下げ床根太５の本数は特に限定されない。
【００３０】
下げ床根太５は、図６に示すように、上根太５１および下根太５２を備えるものである。上根太５１は、図５Ｂ、図５Ｃに示すように、その上面が板部２１の下面に固定されるものである。上根太５１は、本実施形態では、図６Ｂに示すように、長手方向と直交する断面の形状が、幅Ｗ４が８０ｍｍ、高さＨ４が４０ｍｍの長方形状をした中空部材により形成されている。なお、上根太５１は、断面正方形状をした中空部材やその他の型材により形成されてもよい。そして、上根太５１の上片５３の上面が板部２１の下面に固定されることにより、板部２１に設けられる。上根太５１の上片５３の板部２１への固定は、例えばタッピングビスやボルト・ナット等の固着具によるものであったり、接着、嵌合、かしめ等によるものでもよく、特に限定されない。なお、上根太５１の上面と板部２１の下面との間に別部材が介在してもよいが、上根太５１は板部２１に対して移動しない（または移動しにくい）ように設けられる。
【００３１】
上根太５１は、その下片５４が梁１の上端面（すなわち上片１１の上面）に載置されて、梁１に固定される。上根太５１の梁１への固定は、ボルト８による締結によって行われる。このため、下片５４には、ボルト８に螺合する螺合部５５が設けられる。螺合部５５は、上述した通常根太３の場合と同様に、ピアスナット等のナットをはじめとする雌ねじ孔を有する部材が下片５４に固定されたり、下片５４に雌ねじ孔が直接形成されることにより構成される。本実施形態では、下片５４に形成されたボルト８の挿通孔と内部の雌ねじ孔が連通するようにナット５５１が下片５４に固定されて螺合部５５が設けられる。上根太５１の下片５４へのナット５５１の固定は、スポット溶接をはじめとする溶接やろう付け、嵌合やかしめ等、既存の様々な方法が適宜適用可能である。
【００３２】
下根太５２は、図７に示すように、その上面が上根太５１の下面に固定されるものである。下根太５２は、本実施形態では、図６Ｂに示すように、長手方向と直交する断面の形状が、幅Ｗ４が８０ｍｍ、高さＨ５が３５ｍｍの上方に開口する断面Ｃ字状をした部材（Ｃチャンネル材）により形成されている。なお、下根太５２は、断面矩形状をした中空部材やその他の型材により形成されてもよいが、中空部材とした場合は、根太の長手方向の中央部等、根太の端面から距離が大きい位置に螺合部を設ける際の作業性を確保するために、強度的には不要な大きさの断面が必要となり、過剰品質となるため、Ｃチャンネル材が好ましい。そして、下根太５２の上片５６（リップ部）の上面が上根太５１の下片５４の下面に固定されることにより、上根太５１に固定される。下根太５２の上片５６の上根太５１の下片５４への固定は、例えばスポット溶接をはじめとする溶接やろう付け、嵌合やかしめ等、既存の様々な方法が適宜適用可能である。本実施形態では、上根太５１および下根太５２の接触部の長手方向における複数個所において溶接が行われているが、長手方向全長にわたって溶接が行われてもよい。  
【００３３】
下根太５２には、図６Ｂ、図６Ｃに示すように、その下片５７にボルト８が挿通可能な挿通孔が形成され、下片５７の挿通孔の周囲に螺合部５８が設けられる。螺合部５８は、上述した上根太５１の場合と同様であるため、説明を省略する。本実施形態では、ピアスナット５８１が下片５７に固定されて螺合部５８が設けられる。ここで、本実施形態では、下根太５２が一部に開口を有する部材（Ｃチャンネル材）からなるため、ピアスナット５８１の固定が容易に行われるものである。
【００３４】
すなわち、ピアスナットの固定には、上述したように専用の装置が用いられることが好ましく、専用の装置によって、ピアスナットの固定が容易に行われる。しかしながら、専用の装置は、ピアスナットが固定される箇所に所定の広さの空間を要するものである。通常根太３の場合には、図４Ｂに示すように、幅Ｗ３が８０ｍｍ、高さＨ３が８０ｍｍの内部空間を有しており、この内部空間に専用の装置が収容可能である。ここで、仮に下根太５２が一部に開口を有する部材ではなく図６Ｂに示すような幅Ｗ４が８０ｍｍ、高さＨ５が３５ｍｍの大きさの内部空間を有する中空部材である場合、この内部空間に専用の装置を収容することはできない。本実施形態では、下根太５２が上片５６（リップ部）の間に開口を有する部材であるため、下根太５２が上根太５１に固定される前に、この開口を介して下根太５２の内外にわたって専用の装置を位置させることができる。これによって、専用の装置によるピアスナット５８１の容易な固定が可能となる。また、螺合部５８に溶接ナット等、ピアスナット以外のその他の方法を用いる場合においても、下根太５２が上片５６（リップ部）の間に開口を有する部材であるため、同様に作業性に優れ、螺合部５８を容易に固定することができる。
【００３５】
そして、本発明においては、図６Ａ、図６Ｃに示すように、上根太５１と下根太５２とは長手方向を同じくして固定されるとともに、下根太５２の長手方向における端縁が、上根太５１の長手方向における端縁よりも控えて位置するものである。なお、上根太５１の長手方向と下根太５２の長手方向は、厳密に同じ方向でなくてもよく、実用上支障ない程度に近似していればよい。これにより、通常床パネル２Ａと下げ床パネル２Ｂとは、梁１に載置されて固定されるときに異なる状態となるもので、以下に説明する。
【００３６】
まず、通常床パネル２Ａの梁１への固定について説明する。上述したように、床パネル２は、その根太２２が、一対の梁１の離間方向を長手方向とするような向きで梁１に載置される。図１に示す例では、一対の端梁１Ａ１に二枚の通常床パネル２Ａが並設されるものである。図１Ｃに示すように、通常床パネル２Ａの長さＬ１（すなわち板部２１、通常根太３および補助根太４の長さ）と、一対の端梁１Ａ１の間隔、すなわち、端梁１Ａ１のウェブ１３（図２Ｂ参照）の中心間距離とが、略同じになされている。
【００３７】
また、図１Ｂに示すように、通常床パネル２Ａの幅Ｗ６、Ｗ７（すなわち各通常床パネル２Ａの板部２１の幅）は、通常床パネル２Ａ毎に異なっており、合わせた幅（＝Ｗ６＋Ｗ７）と、横向き梁１Ｂのウェブ１３の中心間距離とが、略同じになされている。
【００３８】
これにより、図１、図２に示すように、二枚の通常床パネル２Ａの端縁が、端梁１Ａ１および横向き梁１Ｂのウェブ１３上に位置する。また、図２Ａに示すように、通常床パネル２Ａの板部２１の柱７に対応する部分に、柱７との干渉を避けるための切欠２１１が設けられている。
【００３９】
縦向き梁１Ａの端梁１Ａ１の上片１１に通常根太３の端縁が載置された状態で、ボルト８が端梁１Ａ１の上片１１の挿通孔に下側より挿通されて、通常根太３のピアスナット３４からなる螺合部３３に螺合して締結される。これにより、端梁１Ａ１と通常床パネル２Ａとが接続される。また、中間梁１Ａ２についても同様に、その上片１１の挿通孔に下側よりボルト８が挿通されて、通常根太３のピアスナット３４からなる螺合部３３に螺合して締結される。
【００４０】
さらに本実施形態では、図８に示すように、通常床パネル２Ａ用の接続部材６１を介して、横向き梁１Ｂと通常床パネル２Ａとが接続される。通常床パネル２Ａは、図２Ａに示すように、板部２１については上述したように切欠２１１を設けて柱７との干渉を避けているが、通常根太３については、柱７と干渉しない位置にずらすことにより干渉を避けている。このため、通常根太３は、横向き梁１Ｂには載置されない。そこで、図８に示すように、接続部材６１を介して横向き梁１Ｂと通常床パネル２Ａとが接続されている。
【００４１】
接続部材６１は、本実施形態では、図９に示すように、平面視矩形状をした板状のものである。接続部材６１は、金属により形成され、特に鋼材が好適に用いられるが、他の金属（合金でもよい）や、非金属を含んでもよく、材質は限定されない。また、大きさ、形状、厚み等も特に限定されない。そして、接続部材６１に、横向き梁１Ｂおよび根太２２に接続されるためのボルト８の挿通孔６１１が形成されている。本実施形態では、接続部材６１に挿通孔６１１が二個ずつ計四個形成されているが、個数は特に限定されない。
【００４２】
図８に示すように、ボルト８が接続部材６１の挿通孔６１１および横向き梁１Ｂの上片１１の挿通孔に挿通されて、ナット８１により締結されて、接続部材６１を介して横向き梁１Ｂと通常床パネル２Ａとが接続される。
【００４３】
このように、通常床パネル２Ａが接続部材６１によって横向き梁１Ｂとも接続されることにより、横向き梁１Ｂに通常床パネル２Ａが設けられてなる床構造の水平剛性が向上するものである。
【００４４】
さらに本実施形態では、図１０に示すように、連結部材６２を介して、並設されている二枚の通常床パネル２Ａ同士が連結される。
【００４５】
連結部材６２は、本実施形態では、図１１に示すように、平面視矩形状をした板状のものである。連結部材６２は、接続部材６１と同様に金属により形成され、特に鋼材が好適に用いられるが、他の金属（合金でもよい）や、非金属を含んでもよく、材質は限定されない。また、大きさ、形状、厚み等も特に限定されない。そして、連結部材６２に、ボルト８の挿通孔６２１が形成されている。本実施形態では、連結部材６２に挿通孔６２１が二個ずつ計四個形成されているが、個数は特に限定されない。
【００４６】
図１２に示すように、ボルト８が連結部材６２の挿通孔６２１に挿通されて、通常根太３の螺合部３３に螺合して締結され、通常床パネル２Ａ同士が連結される。
【００４７】
このように、通常床パネル２Ａ同士が連結部材６２によって連結されることにより、梁１に通常床パネル２Ａが設けられてなる床構造の水平剛性が向上するものである。特に、接続部材６１と連結部材６２の両方が用いられることにより、床構造の水平剛性のより一層の向上が図られる。
【００４８】
次に、下げ床パネル２Ｂの梁１への固定について説明する。なお、基本的な部分については通常床パネル２Ａの梁１への固定と同じであるため、同じ部分については説明を省略し、主に通常床パネル２Ａと異なる部分について説明する。下げ床パネル２Ｂの平面視における大きさ、下げ床根太５の向き、間隔等については図１に通常床パネル２Ａと同様である。なお、下げ床根太５の長さについては、上根太５１の長さが通常根太３の長さと同じに形成され、下根太５２の長さは上根太５１および通常根太３の長さよりも短く形成されている。また、図７Ａに示すように、下げ床パネル２Ｂの板部２１の柱７に対応する部分に、柱７との干渉を避けるための切欠２１１が設けられる点についても、通常床パネル２Ａと同様である。
【００４９】
下げ床パネル２Ｂは、図７Ｂに示すように、一対の梁１（端梁１Ａ１）にそれぞれ上根太５１の長手方向における端縁が載置されて接続されるものである。接続にあたっては、通常パネルと同様にボルト８がナット５５１からなる螺合部５５に螺合して締結される。これにより、端梁１Ａ１と下げ床パネル２Ｂとが接続される。また、下げ床パネル２Ｂが端梁１Ａ１に固定される場合には、中間梁１Ａ２が設けられないか、通常床パネル２Ａの場合よりも下げて中間梁１Ａ２が設けられて、同様にボルト８がピアスナット５８１からなる螺合部５８に螺合して締結される。
【００５０】
このとき、下根太５２は、平面視において一対の梁１（端梁１Ａ１）の間に位置することになる。これにより、下根太５２が梁１（端梁１Ａ１）と干渉するのが避けられる。
【００５１】
さらに本実施形態では、図１３に示すように、下げ床パネル２Ｂ用の接続部材６３を介して、横向き梁１Ｂと下げ床パネル２Ｂとが接続される。下げ床パネル２Ｂも、通常床パネル２Ａと同様に、下げ床根太５について、柱７と干渉しない位置にずらすことにより干渉を避けている。このため、下げ床根太５は、横向き梁１Ｂには載置されない。そこで、図８に示すように、接続部材６３を介して横向き梁１Ｂと下げ床パネル２Ｂとが接続されている。
【００５２】
接続部材６３は、本実施形態では、図１４Ａに示すように、平面視矩形状をした板状のものであるが、図１４Ｂに示すように、側面視において屈曲している。接続部材６３も接続部材６１と同様に、金属により形成されるが、材質は限定されず、また、大きさ、形状、厚み等も特に限定されない。そして、接続部材６３に、横向き梁１Ｂに接続されるためのボルト８の挿通孔６３１と、根太２２に接続されるためのボルト８の挿通孔６３１が形成されている。本実施形態では、接続部材６３に挿通孔６３１が二個ずつ計四個形成されているが、個数は特に限定されない。
【００５３】
図１３に示すように、ボルト８が接続部材６３の挿通孔６３１および横向き梁１Ｂの上片１１の挿通孔に挿通されて、ナット８１により締結されて、接続部材６３を介して横向き梁１Ｂと下げ床パネル２Ｂとが接続される。
【００５４】
このように、下げ床パネル２Ｂが接続部材６３によって横向き梁１Ｂとも接続されることにより、横向き梁１Ｂに下げ床パネル２Ｂが設けられてなる床構造の水平剛性が向上するものである。
【００５５】
さらに本実施形態では、図１５に示すように、連結部材６２を介して、並設されている二枚の下げ床パネル２Ｂ同士が連結される。
【００５６】
連結部材６２は、本実施形態では、上述した図１１に示すものと同様である。そして、図１５に示すように、ボルト８が連結部材６２の挿通孔６２１に挿通されて、下げ床根太５の螺合部５８に螺合して締結され、下げ床パネル２Ｂ同士が連結される。
【００５７】
このように、下げ床パネル２Ｂ同士が連結部材６２によって連結されることにより、梁１に下げ床パネル２Ｂが設けられてなる床構造の水平剛性が向上するものである。特に、接続部材６３と連結部材６２の両方が用いられることにより、床構造の水平剛性のより一層の向上が図られる。
【００５８】
さらに本実施形態では図５Ｂ、図５Ｃに示すように、下げ床パネル２Ｂの板部２１の下面の下げ床根太５間の部分に、通常床パネル２Ａと同様に吸音材９が設けられているが、このような吸音材９は特に設けられなくてもよい。
【００５９】
図７に示すように、下げ床パネル２Ｂが梁１に載置された場合、梁１の上面１１１から板部２１の上面までの高さが図２に示す通常床パネル２Ａの場合よりも低くなる。これにより、梁１を同じくしながら、床パネル２として通常床パネル２Ａが用いられるか下げ床パネル２Ｂが用いられるかが選択されることで、梁１の上面１１１（および建物の床以外の部分）に対する高さが選択可能となる。これにより、床パネル２の板部２１上に、通常よりも厚い床仕上げ材が載置される場合、下げ床パネル２Ｂが用いられることで、室内の実質的な床面の高さ、すなわち床仕上げ材の上面の窓や天井等に対する高さをかわりなくすることができる。
【００６０】
なおかつ、下げ床パネル２Ｂにあっては、図６Ｂに示すように、下根太５２が上根太５１に固定されているため、根太２２としての強度も、図４Ｂに示す通常床パネル２Ａの通常根太３に比べて劣らない。
【００６１】
また、床構造の水平剛性に優れる為、本床構造を用いることで、建物の水平ブレースを不要とすることができる。
【符号の説明】
【００６２】
１           梁
１Ａ       縦向き梁
１Ａ１  端梁
１Ａ２  中間梁
１Ｂ       横向き梁
２           床パネル
２Ａ       通常床パネル
２Ｂ       下げ床パネル
２１       板部
２２       根太
３           通常根太
３３       螺合部
３４       ピアスナット
４           補助根太
５           下げ床根太
５１       上根太
５２       下根太
５５       螺合部
５５１  ナット
５８       螺合部
５８１  ピアスナット
６１       接続部材
６２       連結部材
６３       接続部材
７      柱
８           ボルト
９      吸音材
【図１】
2017014764.tif 000003
【図２】
2017014764.tif 000004
【図３】
2017014764.tif 000005
【図４】
2017014764.tif 000006
【図５】
2017014764.tif 000007
【図６】
2017014764.tif 000008
【図７】
2017014764.tif 000009
【図８】
2017014764.tif 000010
【図９】
2017014764.tif 000011
【図１０】
2017014764.tif 000012
【図１１】
2017014764.tif 000013
【図１２】
2017014764.tif 000014
【図１３】
2017014764.tif 000015
【図１４】
2017014764.tif 000016
【図１５】
2017014764.tif 000017